(57)【要約】【課題】投影レンズと色合成手段とを互いに当接しないように離して配置したとしても、投影レンズのバックフォーカスを短くでき、これに伴い、投影レンズの小型化、軽量化、投影画質の向上を図ることができる投射型表示装置を提供する。【解決手段】透過型液晶プロジェクタ２０において、色合成プリズム２４の光出射面と投影レンズ２５の光入射部との間の光路途中に、液晶パネル２３Ｒ，２３Ｂのパッケージ部２３２Ｒ，２３２Ｂの、色合成プリズム２４の光出射面としての第４面２４４より投影レンズ２５側にはみ出している部分よりも厚く、投影レンズ２５を配置したときに、液晶パネル２３Ｒ，２３Ｂのパッケージ部２３２Ｒ，２３２Ｂに当たらないように厚さを有し、屈折率ｎが、空気の屈折率より高いガラス等により形成された透明ブロック２６を配置する。【選択図】      図１０
2006072231.tif 000002
【特許請求の範囲】
【請求項１】
光源と、
各々の印加映像信号に従い、入射する光を空間変調して出射する３つの変調装置と、
上記光源より発せられた光を、波長帯域に従い３つに分離し、対応する上記変調装置にそれぞれ集光照明する照明光学系と、
上記３つの変調装置からの３つの出射光が入射し、当該３つの入射光を１つの出射光に合成する色合成手段と、
上記色合成手段から出射した光を投影出力する投影手段と、を有し、
上記色合成手段の光出射部と上記投影手段の光入射部間に、上記色合成手段の出射光を伝搬して上記投影手段に入射させる透明体が配置されている
投射型表示装置。
【請求項２】
上記３つの変調装置のうち少なくとも一つの一部が、上記色合成手段の光出射部より上記投影手段の配置側にせり出しており、
上記透明体は、少なくとも上記変調装置のせり出し部分が上記投影手段に当接状態となることを回避可能な厚さを有する
請求項１記載の投射型表示装置。
【請求項３】
上記色合成手段は、上記３つの変調装置からの３つの出射光が入射する第１面、第２面、および第３面と、合成した出射光が出射する第４面とを有する色合成プリズムを含み、上記第１面および第３面からの入射光は内部で反射し、上記第２面からの入射光は透過することで１つの出射光に合成し、
上記３つの変調装置のうち少なくとも一つの一部が、上記色合成プリズムの第４面より上記投影手段の配置側にせり出しており、
上記透明体は、少なくとも上記変調装置のせり出し部分が上記投影手段に当接状態となることを回避可能な厚さを有する
請求項１記載の投射型表示装置。
【請求項４】
上記透明体の屈折率は、空気の屈折率より高い
請求項１記載の投射型表示装置。
【請求項５】
上記透明体の屈折率は、空気の屈折率より高い
請求項２記載の投射型表示装置。
【請求項６】
上記透明体の屈折率は、空気の屈折率より高い
請求項３記載の投射型表示装置。
【請求項７】
上記透明体の光入射部は、上記色合成手段の光出射部と当接状態にある
請求項４記載の投射型表示装置。
【請求項８】
上記透明体の光入射部は、上記色合成手段の光出射部と当接状態にある
請求項５記載の投射型表示装置。
【請求項９】
上記透明体の光入射部は、上記色合成手段の光出射部と当接状態にある
請求項６記載の投射型表示装置。
【請求項１０】
光源と、
各々の印加映像信号に従い、入射する光を空間変調して出射する３つの透過型液晶変調装置と、
上記光源より発せられた光を、波長帯域に従い３つに分離し、対応する上記透過型液晶変調装置にそれぞれ集光照明する照明光学系と、
上記３つの透過型液晶変調装置からの３つの出射光が入射し、当該３つの入射光を１つの出射光に合成する色合成手段と、
上記色合成手段から出射した光を投影出力する投影手段と、を有し、
上記色合成手段の光出射部と上記投影手段の光入射部間に、上記色合成手段の出射光を伝搬して上記投影手段に入射させる透明体が配置されている
投射型表示装置。
【請求項１１】
上記色合成手段は、上記３つの透過型液晶変調装置からの３つの出射光が入射する第１面、第２面、および第３面と、合成した出射光が出射する第４面とを有する色合成プリズムを含み、上記第１面および第３面からの入射光は内部で反射し、上記第２面からの入射光は透過することで１つの出射光に合成し、
上記３つの透過型液晶変調装置は、それぞれの光出射面が上記色合成プリズムの第１面、第２面、および第３面と対向するように配置され、
上記３つの透過型液晶変調装置のうち少なくとも一つの一部が、上記色合成プリズムの第４面より上記投影手段の配置側にせり出しており、
上記透明体は、少なくとも上記透過型液晶変調装置のせり出し部分が上記投影手段に当接状態となることを回避可能な厚さを有する
請求項１０記載の投射型表示装置。
【請求項１２】
上記透明体の屈折率は、空気の屈折率より高い
請求項１０記載の投射型表示装置。
【請求項１３】
上記透明体の屈折率は、空気の屈折率より高い
請求項１１記載の投射型表示装置。
【請求項１４】
上記透明体の光入射部は、上記色合成手段の光出射部と当接状態にある
請求項１２記載の投射型表示装置。
【請求項１５】
上記透明体の光入射部は、上記色合成手段の光出射部と当接状態にある
請求項１３記載の投射型表示装置。
【請求項１６】
光源と、
各々の印加映像信号に従い、入射する光を空間変調して出射する３つの反射型液晶変調装置と、
上記３つの反射型液晶変調装置からの３つの出射光が入射し、当該３つの入射光を１つの出射光に合成する色合成手段と、
上記光源より発せられた光を、波長帯域に従い３つに分離し、対応する上記３つの反射型液晶変調装置にそれぞれ集光照明し、上記３つの反射型液晶変調装置で反射された光を上記色合成手段に入射させる照明光学系と、
上記３つの液晶変調装置からの３つの出射光が入射し、当該３つの入射光を１つの出射光に合成する色合成手段と、
上記色合成手段から出射した光を投影出力する投影手段と、を有し、
上記色合成手段の光出射部と上記投影手段の光入射部間に、上記色合成手段の出射光を伝搬して上記投影手段に入射させる透明体が配置されている
投射型表示装置。
【請求項１７】
上記照明光学系は、上記光源より発せられた光を、第１の偏光として上記波長帯域に従い３つに分離し、分離された３つの第１の偏光を透過して対応する上記３つの反射型液晶表示装置に入射させ、当該反射型液晶表示装置において空間変調されて第１の偏光から第２の偏光に変換された光を反射して上記色合成手段に入射させる３つの偏光ビームスプリッタを含み、
上記色合成手段は、上記３つの偏光ビームスプリッタを介した上記３つの反射型液晶変調装置からの３つの出射光が入射する第１面、第２面、および第３面と、合成した出射光が出射する第４面とを有する色合成プリズムを含み、上記第１面および第３面からの入射光は内部で反射し、上記第２面からの入射光は透過することで１つの出射光に合成し、
上記３つの反射型液晶変調装置は、それぞれの光入出射面が対応する上記偏光ビームスプリッタの光の透過、反射部と対向するように配置され、
上記３つの反射型液晶変調装置のうち少なくとも一つが、上記色合成プリズムの第４面より上記投影手段の配置側に配置され、
上記透明体は、少なくとも上記反射型液晶変調装置が上記投影手段に当接状態となることを回避可能な厚さを有する
請求項１６記載の投射型表示装置。
【請求項１８】
上記透明体の屈折率は、空気の屈折率より高い
請求項１６記載の投射型表示装置。
【請求項１９】
上記透明体の屈折率は、空気の屈折率より高い
請求項１７記載の投射型表示装置。
【請求項２０】
上記透明体の光入射部は、上記色合成手段の光出射部と当接状態にある
請求項１８記載の投射型表示装置。
【請求項２１】
上記透明体の光入射部は、上記色合成手段の光出射部と当接状態にある
請求項１９記載の投射型表示装置。
【発明の詳細な説明】
【技術分野】
【０００１】
本発明は、たとえば液晶プロジェクタ等の空間光変調装置で形成される画像の投影像を表示画面とする投影型表示装置に関するものである。
【背景技術】
【０００２】
空間光変調装置に印加される電気信号に従い、入射光を空間変調して出射し、出射光を集めて投影することで、映像表示を行う投射型表示装置がある。
一般的に、投射型表示装置は、光源としてランプと集光鏡を持ち、光源から発せられた光を、照明集光して空間光変調装置に入射させる照明光学系を有する。そして、空間光変調素子からの光を、投影レンズによってスクリーンなどに投影する（投射型表示装置をプロジェクタと呼ぶ。）
液晶プロジェクタは、液晶材料を用いた空間光変調装置（以下、液晶パネルという）を用いたプロジェクタ装置である（たとえば特許文献１参照）。
【０００３】
図１は、液晶パネルを３枚用いた、白黒ではなくカラー表示可能な液晶プロジェクタの光学系の概略構成を示す図である。
【０００４】
この液晶プロジェクタ１０は、ランプ１１１と集光鏡１１２を有する光源１１、照明光学系１２、３枚の液晶パネル１３Ｒ，１３Ｇ，１３Ｂ、色合成プリズム１４、および投影レンズ１５を有する。
【０００５】
液晶プロジェクタ１０においては、光源１１から発せられた光を、照明集光して３枚の液晶パネル１３Ｒ，１３Ｇ，１３Ｂに入射させる。
光源１１より発せられる光は、白色光である。照明光学系１２の内部に、白色光を、光の三原色の赤（Ｒ）、緑（Ｇ）、青（Ｂ）の３色に分解する、色分離素子があり、３枚の液晶パネル１３Ｒ，１３Ｇ，１３Ｂに、それぞれの色光を入射する。
【０００６】
照明光学系１２は、照明光学レンズ１２１に加えて、色分離素子として、ＲＧＢ三原色のうち、赤色の波長領域のみが透過し、緑色および青色の波長領域の光が反射する第１のダイクロイックミラー１２２と、第１のダイクロイックミラー１２２で反射された光のうち緑色の波長領域のみ反射して液晶パネル１３Ｇに入射させ、青色の波長領域が透過する第２のダイクロイックミラー１２３と、第１のダイクロイックミラー１２２を透過した赤色の波長領域の光を反射して液晶パネル１３Ｒに入射させる折り返しミラー１２４と、第２のダイクロイックミラー１２３を透過した青色の波長領域の光を反射して液晶パネル１３Ｂに入射させる折り返しミラー１２５，１２６を有する。
【０００７】
液晶パネル１３Ｒ，１３Ｇ，１３Ｂは、電気信号として印加された映像信号に従い、入射光を空間変調する。
３枚の液晶パネル１３Ｒ，１３Ｇ，１３Ｂより出射された出射光は、色合成手段としての色合成プリズム１４で合成されて１つとなり、投影レンズ１５に入射する。
そして、投影レンズ１５により３枚の液晶パネル１３Ｒ，１３Ｇ，１３Ｂの像が合成されれて、装置より投影出力され、スクリーンなどに投影表示を行う。
【０００８】
一般的に、液晶プロジェクタにおいては、色合成手段として、図１の例のように色合成プリズムを用いることが多い。
【０００９】
図２（Ａ），（Ｂ）は、色合成プリズムの構成を説明するための図である。
この色合成プリズム１４は、４つの略同形状の直角二等辺プリズム１４１〜１４４を図２（Ａ）のように張り合わせたものである。
図２（Ｂ）中に符号１４ａ，１４ｂで示す部分は、二等辺プリズムの接続部を示している。２つの接合部１４ａ，１４ｂは、それぞれ異なる色合成分離薄膜をコーティングされている。
一例として、接合部１４ａは、赤と緑の波長帯域は透過し、青の波長帯域は反射するコーティングで、接続部１４ｂは、青と緑の波長帯域は透過し、赤の波長帯域は反射するコーティングとする。
【００１０】
この場合、図３に示すように、赤（Ｒ）・緑（Ｇ）・青（Ｂ）の光が、対応する液晶パネル１３Ｒ，１３Ｇ，１３Ｂを出射後、色合成プリズム１４に入射することで、赤光は、接続部１４ａののコーティングは透過し、接続部１４ｂのコーティングで反射することで、９０度進路が変わる。緑光は、接合部１４ａ，１４ｂのコーティングとも透過する。青光は、接合部１４ａのコーティングは反射し、接合部１４ｂのコーティングで透過して、９０度進路が変えられる。これによって、赤・青・緑共に同じ方向に光が進むことになり、色合成がなされる。
【００１１】
図１に見るように、液晶パネル１３Ｒ，１３Ｇ，１３Ｂから出射した光を投影出力するために、投影レンズ１５が必要となる。また、３枚の液晶パネル１３Ｒ，１３Ｇ，１３Ｂと、投影レンズ１５の間の光路には、色合成手段としての色合成プリズム１４が配置される。
【００１２】
投影レンズのように、ある物体の像を結像するレンズ（結像系）では、レンズと物体までの距離が短いほうがレンズが小さくなる。投影レンズの物体側のレンズから、物体までの距離をバックフォーカスと呼ぶ。
【００１３】
図４（Ａ），（Ｂ）に示すように、バックフォーカスが短いほうが、レンズに光が入射するまでに、光束が広がらないためである。
レンズが大きくなってしまうと、投影レンズのサイズや重量が増加するだけでなく、結像性能も劣化することが多い。これは、レンズの直径が大きくなることで、レンズの球面収差などが増加するためである。
このように、投影レンズと、液晶パネルは、近くに配置してバックフォーカスが短いことが望ましい。
【特許文献１】特開２０００−３９５８４号公報
【発明の開示】
【発明が解決しようとする課題】
【００１４】
しかし、従来の光学系では以下のような不利益があった。
【００１５】
液晶パネル１３（Ｒ，Ｇ，Ｂ）は、図５に示すように、有効画面部１３１の周りに、非画面部１３２を有する。
これは、半導体プロセス等で作製した基板をパッケージに装着し、取り扱いや、光学系に装着しやすいようにしたものである（パッケージに光学系取付けのための穴がある場合がある）。このパッケージが非画面１３２となる。
つまり、液晶パネルは、有効画面部分の周囲に、パッケージの部位が存在することが多い。
【００１６】
このため、図６に示すように、色合成プリズムの周囲に３枚の液晶パネルを取り付けた場合、投影レンズの配置方向に、液晶パネル１３Ｒ，１３Ｂの一部が出てしまい、投影レンズ１５に当接してしてしまう。
このため、図７に示すように、投影レンズ１５を色合成プリズム１４から離すことで、この当接してしまうことを避ける必要がある。
【００１７】
また、以上の説明では、透過型液晶プロジェクタの場合を例に説明したが、反射型液晶プロジェクタの場合も同様の問題を有する。
図８に示すように、装置構成や偏光精度の観点から、赤光および青光が入射される液晶パネル１３が、投影レンズ１５の光軸に対して直交する方向に並列に配置される。
この場合も、液晶パネル１３Ｒ，１３Ｂの一部が出てしまい、投影レンズ１５に当接してしてしまう。したがって、図９に示すように、投影レンズ１５を色合成プリズム１４から離すことで、この当接してしまうことを避ける必要がある。
なお、図８および図９において、符号１６Ｒ，１６Ｇ，１６Ｂは、偏光ビームスプリッタ（ＰＢＳ）を示している。
【００１８】
しかし、投影レンズ１５を色合成プリズム１４から離すことで、投影レンズ１５と液晶パネル１３Ｒ，１３Ｇ，１３Ｂの距離が増加してしまい、すなわちバックフォーカスが増加する。
先述したように、投影レンズはバックフォーカスが長くなると、サイズ・重量の増大、投影画質の劣化につながる。
【００１９】
本発明の目的は、投影レンズと色合成手段とを互いに当接しないように離して配置したとしても、投影レンズのバックフォーカスを短くでき、これに伴い、投影レンズの小型化、軽量化、投影画質の向上を図ることができる投射型表示装置を提供することにある。
【課題を解決するための手段】
【００２０】
上記目的を達成するため、本発明の第１の観点の投射型表示装置は、光源と、各々の印加映像信号に従い、入射する光を空間変調して出射する３つの変調装置と、上記光源より発せられた光を、波長帯域に従い３つに分離し、対応する上記変調装置にそれぞれ集光照明する照明光学系と、上記３つの変調装置からの３つの出射光が入射し、当該３つの入射光を１つの出射光に合成する色合成手段と、上記色合成手段から出射した光を投影出力する投影手段と、を有し、上記色合成手段の光出射部と上記投影手段の光入射部間に、上記色合成手段の出射光を伝搬して上記投影手段に入射させる透明体が配置されている。
【００２１】
好適には、上記３つの変調装置のうち少なくとも一つの一部が、上記色合成手段の光出射部より上記投影手段の配置側にせり出しており、上記透明体は、少なくとも上記変調装置のせり出し部分が上記投影手段に当接状態となることを回避可能な厚さを有する。
【００２２】
好適には、上記色合成手段は、上記３つの変調装置からの３つの出射光が入射する第１面、第２面、および第３面と、合成した出射光が出射する第４面とを有する色合成プリズムを含み、上記第１面および第３面からの入射光は内部で反射し、上記第２面からの入射光は透過することで１つの出射光に合成し、上記３つの変調装置のうち少なくとも一つの一部が、上記色合成プリズムの第４面より上記投影手段の配置側にせり出しており、上記透明体は、少なくとも上記変調装置のせり出し部分が上記投影手段に当接状態となることを回避可能な厚さを有する。
【００２３】
好適には、上記透明体の屈折率は、空気の屈折率より高い。
【００２４】
好適には、上記透明体の光入射部は、上記色合成手段の光出射部と当接状態にある。
【００２５】
本発明の第２の観点の投射型表示装置は、光源と、各々の印加映像信号に従い、入射する光を空間変調して出射する３つの透過型液晶変調装置と、上記光源より発せられた光を、波長帯域に従い３つに分離し、対応する上記透過型液晶変調装置にそれぞれ集光照明する照明光学系と、上記３つの透過型液晶変調装置からの３つの出射光が入射し、当該３つの入射光を１つの出射光に合成する色合成手段と、上記色合成手段から出射した光を投影出力する投影手段と、を有し、上記色合成手段の光出射部と上記投影手段の光入射部間に、上記色合成手段の出射光を伝搬して上記投影手段に入射させる透明体が配置されている。
【００２６】
好適には、上記色合成手段は、上記３つの透過型液晶変調装置からの３つの出射光が入射する第１面、第２面、および第３面と、合成した出射光が出射する第４面とを有する色合成プリズムを含み、上記第１面および第３面からの入射光は内部で反射し、上記第２面からの入射光は透過することで１つの出射光に合成し、上記３つの透過型液晶変調装置は、それぞれの光出射面が上記色合成プリズムの第１面、第２面、および第３面と対向するように配置され、上記３つの透過型液晶変調装置のうち少なくとも一つの一部が、上記色合成プリズムの第４面より上記投影手段の配置側にせり出しており、上記透明体は、少なくとも上記透過型液晶変調装置のせり出し部分が上記投影手段に当接状態となることを回避可能な厚さを有する。
【００２７】
本発明の第３の観点の投射型表示装置は、光源と、各々の印加映像信号に従い、入射する光を空間変調して出射する３つの反射型液晶変調装置と、上記３つの反射型液晶変調装置からの３つの出射光が入射し、当該３つの入射光を１つの出射光に合成する色合成手段と、上記光源より発せられた光を、波長帯域に従い３つに分離し、対応する上記３つの反射型液晶変調装置にそれぞれ集光照明し、上記３つの反射型液晶変調装置で反射された光を上記色合成手段に入射させる照明光学系と、上記３つの液晶変調装置からの３つの出射光が入射し、当該３つの入射光を１つの出射光に合成する色合成手段と、上記色合成手段から出射した光を投影出力する投影手段と、を有し、上記色合成手段の光出射部と上記投影手段の光入射部間に、上記色合成手段の出射光を伝搬して上記投影手段に入射させる透明体が配置されている。
【００２８】
好適には、上記照明光学系は、上記光源より発せられた光を、第１の偏光として上記波長帯域に従い３つに分離し、分離された３つの第１の偏光を透過して対応する上記３つの反射型液晶表示装置に入射させ、当該反射型液晶表示装置において空間変調されて第１の偏光から第２の偏光に変換された光を反射して上記色合成手段に入射させる３つの偏光ビームスプリッタを含み、上記色合成手段は、上記３つの偏光ビームスプリッタを介した上記３つの反射型液晶変調装置からの３つの出射光が入射する第１面、第２面、および第３面と、合成した出射光が出射する第４面とを有する色合成プリズムを含み、上記第１面および第３面からの入射光は内部で反射し、上記第２面からの入射光は透過することで１つの出射光に合成し、上記３つの反射型液晶変調装置は、それぞれの光入出射面が対応する上記偏光ビームスプリッタの光の透過、反射部と対向するように配置され、上記３つの反射型液晶変調装置のうち少なくとも一つが、上記色合成プリズムの第４面より上記投影手段の配置側に配置され、上記透明体は、少なくとも上記反射型液晶変調装置が上記投影手段に当接状態となることを回避可能な厚さを有する。
【００２９】
本発明によれば、光源より発せられた光を、照明光学系において、波長帯域に従い３つに分離され、対応する上記変調装置にそれぞれ集光照明される。
３つの変調装置においては、各々の印加映像信号に従い、照明光学系によって入射する光が空間変調されて出射される。
そして、３つの液晶変調装置からの３つの出射光が色合成手段に入射し、１つの出射光に合成される。
色合成手段から出射した光は、透明体伝搬された後、投影手段に入射され、投影出力される。
【発明の効果】
【００３０】
本発明によれば、投影手段と色合成手段とを互いに当接しないように離して配置したとしても、投影手段（投影レンズ）のバックフォーカスを短くでき、これに伴い、投影レンズの小型化、軽量化、投影画質の向上を図ることができる。
【発明を実施するための最良の形態】
【００３１】
以下、本発明の実施形態を、図面に関連付けて説明する。
【００３２】
第１実施形態
図１０は、本発明に係る投射型表示装置としての液晶プロジェクタの第１の実施形態を示す構成図である。
【００３３】
本液晶プロジェクタ２０は、透過型液晶プロジェクタであって、図１に示すように、光源２１、照明光学系２２、３枚の液晶パネル２３Ｒ，２３Ｇ，２３Ｂ、色合成プリズム（ダイクロイックプリズム）２４、投影レンズ２５、および透明体としての透明ブロック２６を有する。
【００３４】
本第１の実施形態の液晶プロジェクタ２０は、色合成プリズム２４の光出射面と投影レンズ２５との間に、透明ブロック２６を配置して、投影レンズ２５が液晶パネル２３Ｒ，２３Ｂの非画面部）と当接しないように構成し、かつ、この透明ブロック２６を配置することにより、投影レンズのバックフォーカスを短くして、これに伴い、投影レンズの小型化、軽量化、投影画質の向上を図れるように構成されている。
この透明ブロック２６の具体的な構成および機能については後で詳述する。
以下、液晶プロジェクタ２０の各部の構成および機能について順を追って説明する。
【００３５】
光源２１は、放電ランプ２１１および反射集光鏡２１２から構成されており、この放電ランプ２１１から出射された光を反射集光鏡２１１が集光して照明光学系２２に向けて出射する。
【００３６】
照明光学系２２は、光源２１より発せられる白色光を、光の三原色の赤（Ｒ）、緑（Ｇ）、青（Ｂ）の３色に分解する、色分離素子系を有し、３枚の液晶パネル２３Ｒ，２３Ｇ，２３Ｂに、それぞれの色光を入射する。
【００３７】
照明光学系２２は、図１０に示すように、照明光学レンズ２２１、第１のダイクロイックミラー２２２、第２のダイクロイックミラー２２３、折り返しミラー２２４〜２２６により構成されている。
【００３８】
照明光学系２２１は、光源２１の出射された照明光Ｌを平行束とし、第１のダイクロイックミラー２２２に入射させる。
照明光学系２２１は、たとえば光源部２１から出射された照明光Ｌに含まれる赤外線領域および紫外線領域の不要な光を除去する光フィルタ、照明光Ｌを均一化する２つのマルチレンズアレイ、２つのマルチレンズアレイにより照明光からｐまたはｓ偏光成分をｓまたはｐ偏光成分に変換し、全体としてｓまたはｐ偏光成分を多く含む偏光方向の揃え偏光変換素子、偏光変換素子による照明光が液晶パネル２３Ｒ，２３Ｇ，２３Ｂにおいて重ね合わされるように集光する集光レンズ等により構成される。
【００３９】
第１のダイクロイックミラー２２２は、照明光学系レンズ２２１を通過した偏光方向の揃えられた照明光Ｌの光軸に対して４５度傾斜しており、照明光Ｌのうち、赤色の波長領域の光ＬRのみ折り返しミラー２２４に向けて透過し、その他の波長領域の光ＬGBを第２のダイクロイックミラー２２３に向けて反射する。
【００４０】
第２のダイクロイックミラー２２３は、第１のダイクロイックミラー２２２で反射した光ＬGBの光軸に対して４５度傾斜しており、第１のダイクロイックミラー２２２で反射した光ＬGBのうち緑色の波長領域の緑光ＬG のみを液晶パネル２３Ｇに向けて反射し、その他の波長領域（青色の波長領域）の青光ＬB を透過する。
【００４１】
折り返しミラー２２４は、第１のダイクロイックミラー２２２を透過した赤光ＬR の光軸に対して４５度傾斜しており、赤光ＬR を液晶パネル２３Ｒに向けて反射する。
【００４２】
折り返しミラー２２５は、第２のダイクロイックミラー２２３を透過した青光ＬB の光軸に対して４５度傾斜しており、青光ＬB を折り返しミラー２２６に向けて反射する。
【００４３】
折り返しミラー２２６は、折り返しミラー２２５で反射された青光ＬB の光軸に対して４５度傾斜しており、青光ＬB を液晶パネル２３Ｂに向けて反射する。
【００４４】
また、図示しないが、第２のダイクロイックミラー２２３と折り返しミラー２２５間の光路、並びに、折り返しミラー２２５と折り返しミラー２２６間の光路には、青色の波長域の光ＬB の第２のダイクロイックミラー２２３から液晶パネル２３Ｂまでの光路長が比較的長いため、光路途中で青色光ＬB を結像しなおすために、リレーレンズが配置される。
【００４５】
液晶パネル２３Ｒ，２３Ｇ，２３Ｂは、印加される赤色、緑色、青色の三原色に対応する映像信号によって、各色光ＬR ，ＬG ，ＬB の空間変調する。
すなわち、所定の偏光方向の色光ＬR，ＬG ，ＬB は、液晶パネル２３Ｒ，２３Ｇ，２３Ｂに印加された映像信号に基づき、偏光面が回転する。
偏光面の回転を受けた光の所定の偏光成分が、図示しない偏光板を透過し、色合成プリズム（ダイクロイックプリズム）２４に入射される。
【００４６】
液晶パネル２３Ｒ，２３Ｇ，２３Ｂは、有効画面部２３１と、有効画面部２３１の周りに非画面部２３２を有する。
これは、半導体プロセス等で作製した基板をパッケージに装着し、取り扱いや、光学系に装着しやすいようにしたものである（パッケージに光学系取付けのための穴がある場合がある）。このパッケージが非画面２３２となる。
この有効画面部２３１の周囲に、パッケージ部（非画面部）２３２が存在する液晶パネル２３Ｒ，２３Ｇ，２３Ｂは、色合成プリズム２４の周囲に、色合成プリズム２４の３つの入射面それぞれに対向するように、取り付けられる。
このため、図１０に示すように、投影レンズ２５の配置方向に、液晶パネル２３Ｒ，２３Ｂのパッケージ部（非画面部）２３２Ｒ，２３２Ｂの一部がせり出た構成となっている。
【００４７】
色合成プリズム（ダイクロイックプリズム）２４は、たとえば、複数のガラスプリズム（４つの略同形状の直角二等辺プリズム）を接合することによって構成されており、各ガラスプリズムの接合面には、所定の光学特性を有する干渉フィルタ２４ａ，２４ｂが形成されている。
干渉フィルタ２４ａは、青色光ＬB を反射し、赤色光ＬR および緑色光ＬG ，を透過する。干渉フィルタ２４ｂは、赤色光ＬR を反射し、緑色光ＬG および青色光ＬB を透過する。
したがって、液晶パネル２３Ｒ，２３Ｇ，２３Ｂによって変調された各色光ＬR，ＬG ，ＬB は、合成されて、透明ブロック２６を通して投射レンズ２５に入射する。
【００４８】
色合成プリズム２４は、立方体あるいは直方体形状をなし、第１面２４１が液晶パネル２３Ｒによる変調光の入射面を形成し、第１面２４１に直交する第２面２４２が液晶パネル２３Ｇによる変調光の入射面を形成し、第１面２４１に対向し第２面２４２に直交する第３面２４３が液晶パネル２３による変調光の入射面を形成する。
そして、液晶パネル２３Ｒの有効画面部２３１Ｒが第１面２４１に対向するように配置され、液晶パネル２３Ｇの有効画面部２３１Ｇが第２面２４２に対向するように配置され、液晶パネル２３Ｂの有効画面部２３１Ｂが第３面２４３に対向するように配置されている。
また、色合成プリズム２４においては、第１面２４１と第３面２４３に直交し第２面２４２に対向する第４面２４４が合成光の出射面を形成している。
そして、第４面２４４と投影レンズ２５の光入射部との間に、透明ブロック２６が配置されている。
【００４９】
投射レンズ２５は、たとえば、色合成プリズム（ダイクロイックプリズム）２４から入射された映像光をスクリーン等の投影面に、向けて投射する。スクリーンには、カラー映像が映し出される。
【００５０】
透明ブロック２６は、上述したように、色合成プリズム２４の光出射面としての第４面２４４と投影レンズ２５の光入射部との間の光路途中に配置されている。
透明ブロック２６は、その厚さは、空気層を含んで、少なくとも液晶パネル２３Ｒのパッケージ部２３２Ｒと液晶パネル２３Ｂのパッケージ部２３２Ｂの、色合成プリズム２４の光出射面としての第４面２４４より投影レンズ２５側にはみ出している部分よりも厚く、投影レンズ２５を配置したときに、液晶パネル２３Ｒ，２３Ｂのパッケージ部２３２Ｒ，２３２Ｂに当たらないように厚さに設定される。
透明ブロック２６は、屈折率ｎが、空気の屈折率より高い部材、たとえばガラスにより形成される。すなわち、透明ブロック２６の屈折率ｎは、空気の屈折率はほぼ１であるので、ｎ＞１である。
透明ブロック２６の屈折率ｎは、たとえ１．８４に設定される。この値は、色合成プリズムを構成する部材の屈折率（たとえば１．５２）より高い。
【００５１】
空気の屈折率と透明ブロック２６の屈折率ｎが異なるため、空気層と透明ブロック２６との境界において、通過する光は屈折する。この屈折の現象は、スネルの法則に従う。
このため、投影レンズ２５から、液晶パネルまでの光学距離（媒体が空気であると換算した場合）は、透明ブロック２６を配置したほうが短くなる。
たとえば厚さｄの透明ブロック２６を配置した場合、d(1-1/n)の空気換算長だけ短くなる。
これによって、投影レンズ２５のバックフォーカスを短くできる。
【００５２】
また、透明ブロック２６は、空気より屈折率ｎが高いことから、色合成プリズム２４の第４面２４４から出射光を透明ブロック２６内に閉じ込めで伝搬させる導光機能を有する。その結果、色合成プリズムの出射光を効率良く投影レンズ２５に入射させることが可能である。
【００５３】
このような構成を有する液晶プロジェクタ２０において、光源２１から発せられた白色光が、照明光学系２２において、光の三原色の赤（Ｒ）、緑（Ｇ）、青（Ｂ）の３色に分離され、それぞれの色光が、３枚の液晶パネル２３Ｒ，２３Ｇ，２３Ｂに入射される。
光を入射する。
液晶パネル２３Ｒ，２３Ｇ，２３Ｂにおいては、電気信号として印加された映像信号に従い、入射光が空間変調される。
３枚の液晶パネル２３Ｒ，２３Ｇ，２３Ｂより出射された変調光は、色合成手段としての色合成プリズム２４で合成されて１つとなり、第４面２４４から出射される。
色合成プリズム２４の出射光は、透明ブロック２６を伝搬された後、投影レンズ２５に入射される。
そして、投影レンズ２５により３枚の液晶パネル２３Ｒ，２３Ｇ，２３Ｂの像が合成されれて、装置より投影出力され、スクリーンなどに投影表示を行う。
【００５４】
以上説明したように、本第１の実施形態によれば、透過型液晶プロジェクタ２０において、色合成プリズム２４の光出射面と投影レンズ２５の光入射部との間の光路途中に、液晶パネル２３Ｒ，２３Ｂのパッケージ部２３２Ｒ，２３２Ｂの、色合成プリズム２４の光出射面としての第４面２４４より投影レンズ２５側にはみ出している部分よりも厚く、投影レンズ２５を配置したときに、液晶パネル２３Ｒ，２３Ｂのパッケージ部２３２Ｒ，２３２Ｂに当たらないように厚さを有し、屈折率ｎが、空気の屈折率より高い部材、たとえばガラスにより形成された透明ブロック２６を配置したことから、投影レンズ２５と色合成プリズムとを互いに当接しないように離して配置したとしても、投影レンズのバックフォーカスを短くでき、これに伴い、投影レンズの小型化、軽量化、投影画質の向上を図ることができる利点がある。
【００５５】
また、透明ブロック２６は、空気より屈折率ｎが高いことから、導光部として機能し、その結果、色合成プリズムの出射光を効率良く投影レンズ２５に入射させることが可能である。
【００５６】
第２実施形態
図１１は、本発明に係る投射型表示装置としての液晶プロジェクタの第２の実施形態を示す構成図である。
本第２の実施形態の液晶プロジェクタ３０は、第１の実施形態の透過型液晶プロジェクタではなく、反射型液晶プロジェクタに本発明を適用したプロジェクタ装置である。
【００５７】
本液晶プロジェクタ３０は、図１１に示すように、光源３１、照明光学系３２、３枚の液晶パネル３３Ｒ，３３Ｇ，３３Ｂ、色合成プリズム（ダイクロイックプリズム）３４、投影レンズ３５、および透明ブロック３６を有する。
【００５８】
本第２の実施形態の液晶プロジェクタ３０は、第１の実施形態と同様に、色合成プリズム３４の光出射面と投影レンズ３５との間に、透明ブロック３６を配置して、投影レンズ３５が液晶パネル３３Ｒ，３３Ｂの非画面部と当接しないように構成し、かつ、この透明ブロック３６を配置することにより、投影レンズのバックフォーカスを短くして、これに伴い、投影レンズの小型化、軽量化、投影画質の向上を図れるにように構成されている。
この透明ブロック３６の具体的な構成および機能については後で詳述する。
以下、液晶プロジェクタ３０の各部の構成および機能について順を追って説明する。
【００５９】
光源３１は、放電ランプ３１１および反射集光鏡３１２から構成されており、この放電ランプ３１１から出射された光を反射集光鏡３１１が集光して照明光学系３２に向けて出射する。
【００６０】
照明光学系３２は、光源１１より発せられる白色光を、光の三原色の赤（Ｒ）、緑（Ｇ）、青（Ｂ）の３色に分解する、色分離素子系を有し、３枚の液晶パネル３３Ｒ，３３Ｇ，３３Ｂに、それぞれの色光を入射する。
【００６１】
照明光学系３２は、図１１に示すように、照明光学レンズ３２１、第１のダイクロイックミラー３２２、第２のダイクロイックミラー３２３、折り返しミラー３２４、偏光ビームスプリッタ（以下、ＰＢＳという）３２５〜３２７により構成されている。
【００６２】
照明光学系３２１は、光源３１の出射された照明光Ｌを平行束とし、第１のダイクロイックミラー３２２に入射させる。
照明光学系３２１は、たとえば光源３１から出射された照明光Ｌに含まれる赤外線領域および紫外線領域の不要な光を除去する光フィルタ、照明光Ｌを均一化する２つのマルチレンズアレイ、２つのマルチレンズアレイにより照明光からｓ偏光成分をｐ偏光成分（第１の偏光）に変換し、全体としてｐ偏光成分を多く含む偏光方向の揃え偏光変換素子、偏光変換素子による照明光が液晶パネル３３Ｒ，３３Ｇ，３３Ｂにおいて重ね合わされるように集光する集光レンズ等により構成される。
【００６３】
第１のダイクロイックミラー３２２は、照明光学系レンズ３２１を通過した偏光方向の揃えられた照明光Ｌの光軸に対して４５度傾斜しており、照明光Ｌのうち、赤色の波長領域の光ＬRのみ折り返しミラー３２４に向けて反射し、その他の波長領域の光ＬGBを第２のダイクロイックミラー３２３に向けて透過する。
【００６４】
第２のダイクロイックミラー３２３は、第１のダイクロイックミラー３２２で反射した光ＬGBの光軸に対して４５度傾斜しており、第１のダイクロイックミラー３２２で反射した光ＬGBのうち緑色の波長領域の緑光ＬG のみをＰＢＳ３２６に向けて反射し、その他の波長領域（青色の波長領域）の青光ＬB を透過する。
【００６５】
折り返しミラー３２４は、第１のダイクロイックミラー３２２を透過した赤光ＬR の光軸に対して４５度傾斜しており、赤光ＬR をＰＢＳ３２７に向けて反射する。
【００６６】
ＰＢＳ３２５は、第２のダイクロイックミラー３２３を透過した青光ＬB の光軸に対して４５度傾斜しており、ｐ偏光である青光ＬB を液晶パネル３３Ｂに向けて透過する。
また、ＰＢＳ３２５は、白表示の場合に液晶パネル３３Ｂで変調されｓ偏光（第２の偏光）に変換された青光ＬB を色合成プリズム２４に向けて反射する。
ＰＢＳ３２５は、黒表示の場合は、ｐ偏光である青光ＬB が液晶パネル３３Ｂでｓ偏光に変換されることなくｐ偏光のままで反射された光を透過する。
【００６７】
ＰＢＳ３２６は、第２のダイクロイックミラー３２３で反射され緑光ＬG の光軸に対して４５度傾斜しており、ｐ偏光である緑光ＬG を液晶パネル３３Ｇに向けて透過する。
また、ＰＢＳ３２６は、白表示の場合に液晶パネル３３Ｇで変調されｓ偏光に変換された緑光ＬB を色合成プリズム２４に向けて反射する。
ＰＢＳ３２６は、黒表示の場合は、ｐ偏光である緑光ＬB が液晶パネル３３Ｇでｓ偏光に変換されることなくｐ偏光のままで反射された光を透過する。
【００６８】
ＰＢＳ３２７は、折り返しミラー３２４で反射され赤光ＬR の光軸に対して４５度傾斜しており、ｐ偏光である赤色ＬB を液晶パネル３３Ｒに向けて透過する。
また、ＰＢＳ３２７は、白表示の場合に液晶パネル３３７で変調されｓ偏光に変換された緑光ＬR を色合成プリズム２４に向けて反射する。
ＰＢＳ３２７は、黒表示の場合は、ｐ偏光である緑光ＬR が液晶パネル３３Ｒでｓ偏光に変換されることなくｐ偏光のままで反射された光を透過する。
【００６９】
液晶パネル３３Ｒ，３３Ｇ，３３Ｂは、印加される赤色、緑色、青色の三原色に対応する映像信号によって、各色光ＬR ，ＬG ，ＬB の空間変調する。
すなわち、所定の偏光方向の色光ＬR，ＬG ，ＬB は、液晶パネル３３Ｒ，３３Ｇ，３３Ｂに印加された映像信号に基づき、偏光面が回転する。
偏光面の回転を受けた光の所定の偏光成分が、ＰＢＳ３２５〜３２７で反射され、図示しない偏光板を透過し、色合成プリズム（ダイクロイックプリズム）３４に入射される。
【００７０】
液晶パネル３３Ｒ，３３Ｇ，３３Ｂは、有効画面部３３１と、有効画面部３３１の周りに非画面部３３２を有する。
これは、半導体プロセス等で作製した基板をパッケージに装着し、取り扱いや、光学系に装着しやすいようにしたものである（パッケージに光学系取付けのための穴がある場合がある）。このパッケージが非画面３３２となる。
この有効画面部２３１の周囲に、パッケージ部（非画面部）３３２が存在する液晶パネル３３Ｂは、ＰＢＳ３２５のｐ偏光の青光ＬB の透過側に、受光面が青光ＬB の光軸と直交するように配置される。
同様に、有効画面部２３１の周囲に、パッケージ部（非画面部）３３２が存在する液晶パネル３３Ｇは、ＰＢＳ３２６のｐ偏光の緑光ＬG の透過側に、受光面が緑光ＬG の光軸と直交するように配置される。
有効画面部２３１の周囲に、パッケージ部（非画面部）３３２が存在する液晶パネル３３Ｒは、ＰＢＳ３２７のｐ偏光の赤光ＬR の透過側に、受光面が赤光ＬR の光軸と直交するように配置される。
そして、有効画面部２３１の周囲に、パッケージ部（非画面部）３３２が存在する液晶パネル３３Ｂ，３３Ｒは、投影レンズ３５の光軸に対して直交する方向に透明ブロック３６に対して並列に取り付けられる。
このため、図１１に示すように、投影レンズ３５の配置方向に、液晶パネル３３Ｒ，３３Ｂのパッケージ部（非画面部）３３２の一部が透明ブロック３６の配置領域側にせり出た構成となっている。
【００７１】
色合成プリズム（ダイクロイックプリズム）３４は、たとえば、複数のガラスプリズム（４つの略同形状の直角二等辺プリズム）を接合することによって構成されており、各ガラスプリズムの接合面には、所定の光学特性を有する干渉フィルタ３４ａ，３４ｂが形成されている。
干渉フィルタ３４ａは、青色光ＬB を反射し、赤色光ＬR および緑色光ＬG ，を透過する。干渉フィルタ３４ｂは、赤色光ＬR を反射し、緑色光ＬG および青色光ＬB を透過する。
したがって、液晶パネル３３Ｒ，３３Ｇ，３３Ｂによって変調された各色光ＬR，ＬG ，ＬB は、合成されて、透明ブロック３６を通して投射レンズ３５に入射する。
【００７２】
色合成プリズム３４は、立方体あるいは直方体形状をなし、第１面３４１がＰＢＳ３２５で反射された液晶パネル３３Ｂによる変調光の入射面を形成し、第１面３４１に直交する第２面３４２がＰＢＳ３２６で反射された液晶パネル３３Ｇによる変調光の入射面を形成し、第１面３４１に対向し第２面３４２に直交する第３面３４３がＰＢＳ３２７で反射された液晶パネル３３Ｒによる変調光の入射面を形成する。
そして、液晶パネル３３Ｒの有効画面部３３１Ｒが第１面３４１に対向するように配置され、液晶パネル３３Ｇの有効画面部３３１Ｇが第２面３４２に対向するように配置され、液晶パネル３３Ｂの有効画面部３３１Ｂが第３面３４３に対向するように配置されている。
また、色合成プリズム３４においては、第１面３４１と第３面３４３に直交し第２面３４２に対向する第４面３４４が合成光の出射面を形成している。
そして、第４面３４４と投影レンズ３５の光入射部との間に、透明ブロック３６が配置されている。
【００７３】
投射レンズ３５は、たとえば、色合成プリズム（ダイクロイックプリズム）３４から入射された映像光をスクリーン等の投影面に、向けて投射する。スクリーンには、カラー映像が映し出される。
【００７４】
透明ブロック３６は、上述したように、色合成プリズム３４の光出射面としての第４面３４４と投影レンズ３５の光入射部との間の光路途中に配置されている。
透明ブロック３６は、その厚さは、空気層を含んで、投影レンズ３５を配置したときに、液晶パネル３３Ｒ，３３Ｂのパッケージ部３３２Ｒ，３３２Ｂの、色合成プリズム３４の光出射面としての第４面３４４より投影レンズ３５側にはみ出している部分と投影レンズ３５が当たらないように回避可能な厚さに設定される。
透明ブロック３６は、屈折率ｎが、空気の屈折率より高い部材、たとえばガラスにより形成される。すなわち、透明ブロック３６の屈折率ｎは、空気の屈折率はほぼ１であるので、ｎ＞１である。
透明ブロック３６の屈折率ｎは、たとえ１．８４に設定される。この値は、色合成プリズムを構成する部材の屈折率（たとえば１．５２）より高い。
【００７５】
空気の屈折率と透明ブロック３６の屈折率ｎが異なるため、空気層と透明ブロック３６との境界において、通過する光は屈折する。この屈折の現象は、スネルの法則に従う。
このため、投影レンズ３５から、液晶パネルまでの光学距離（媒体が空気であると換算した場合）は、透明ブロック３６を配置したほうが短くなる。
たとえば厚さｄの透明ブロック３６を配置した場合、d(1-1/n)の空気換算長だけ短くなる。
これによって、投影レンズ３５のバックフォーカスを短くできる。
【００７６】
また、透明ブロック３６は、空気より屈折率ｎが高いことから、色合成プリズム３４の第４面３４４から出射光を透明ブロック３６内に閉じ込めで伝搬させる導光機能を有する。その結果、色合成プリズムの出射光を効率良く投影レンズ３５に入射させることが可能である。
【００７７】
このような構成を有する液晶プロジェクタ３０において、光源３１から発せられた白色光が、照明光学系３２において、光の三原色の赤（Ｒ）、緑（Ｇ）、青（Ｂ）の３色に分離され、それぞれの色光が、３枚の液晶パネル３３Ｒ，３３Ｇ，３３Ｂに入射される。
光を入射する。
液晶パネル３３Ｒ，３３Ｇ，３３Ｂにおいては、電気信号として印加された映像信号に従い、入射光が空間変調される。
３枚の液晶パネル３３Ｒ，３３Ｇ，３３Ｂより出射された変調光は、色合成手段としての色合成プリズム３４で合成されて１つとなり、第４面３４４から出射される。
色合成プリズム３４の出射光は、透明ブロック３６を伝搬された後、投影レンズ３５に入射される。
そして、投影レンズ３５により３枚の液晶パネル３３Ｒ，３３Ｇ，３３Ｂの像が合成されれて、装置より投影出力され、スクリーンなどに投影表示を行う。
【００７８】
以上説明したように、本第２の実施形態によれば、反射型の液晶プロジェクタ３０において、色合成プリズム３４の光出射面と投影レンズ３５の光入射部との間の光路途中に、投影レンズ３５を配置したときに、液晶パネル３３Ｒ，３３Ｂのパッケージ部３３２Ｒ，３３２Ｂの、色合成プリズム３４の光出射面としての第４面３４４より投影レンズ３５側にはみ出している部分と投影レンズ３５が当たらないように回避可能で、屈折率ｎが、空気の屈折率より高い部材、たとえばガラスにより形成された透明ブロック３６を配置したことから、投影レンズ３５と色合成プリズムとを互いに当接しないように離して配置したとしても、投影レンズのバックフォーカスを短くでき、これに伴い、投影レンズの小型化、軽量化、投影画質の向上を図ることができる利点がある。
【００７９】
また、透明ブロック３６は、空気より屈折率ｎが高いことから、導光部として機能し、その結果、色合成プリズムの出射光を効率良く投影レンズ３５に入射させることが可能である。
【００８０】
第３実施形態
図１２は、本発明に係る投射型表示装置としての液晶プロジェクタの第３の実施形態を示す構成図である。
【００８１】
本第３の実施形態の液晶プロジェクタ３０Ａが第２の実施形態の液晶プロジェクタ３０と異なる点は、透明ブロック３６の光入射面３６１を、色合成プリズ３４の第４面３４４、すなわち光出射面に接着させたことにある。
【００８２】
その他の構成は第２の実施形態と同様である。
【００８３】
第３の実施形態によれば、上述した第２の実施形態の効果に加えて、色合成プリズム２４の光出射面と透明ブロック３６の光入射面３６１との間の空気層がないことから、投影レンズのバックフォーカスをさらに短くでき、これに伴い、投影レンズのさらなる小型化、投影画質の向上を図ることができる利点がある。
【００８４】
なお、本第３の実施形態の構成は、反射型のみならず、図１０に示すような透過型の装置に適用できることはいうまでもない。
【図面の簡単な説明】
【００８５】
【図１】液晶パネルを３枚用いた、白黒ではなくカラー表示可能な液晶プロジェクタの光学系の概略構成を示す図である。
【図２】図２は、色合成プリズムの構成を説明するための図である。
【図３】色合成プリズムにおける色合成の様子を示す図である。
【図４】バックフォーカスと投影レンズの大きさとの関係を説明するための図である。
【図５】液晶パネルの概略構成を示す図である。
【図６】透過型液晶プロジェクタにおいて投影レンズと液晶パネルの一部が当接してしまう様子を示す図である。
【図７】透過型液晶プロジェクタにおいて投影レンズと液晶パネルの一部の当接状態を回避する方法およびその課題を説明するためめの図である。
【図８】反射型液晶プロジェクタにおいて投影レンズと液晶パネルの一部が当接してしまう様子を示す図である。
【図９】反射型液晶プロジェクタにおいて投影レンズと液晶パネルの一部の当接状態を回避する方法およびその課題を説明するためめの図である。
【図１０】本発明に係る投射型表示装置としての液晶プロジェクタの第１の実施形態を示す構成図である。
【図１１】本発明に係る投射型表示装置としての液晶プロジェクタの第２の実施形態を示す構成図である。
【図１２】本発明に係る投射型表示装置としての液晶プロジェクタの第３の実施形態を示す構成図である。
【符号の説明】
【００８６】
２０…透過型液晶プロジェクタ、２１…光源、２１１…放電ランプ、２１２…反射集光鏡、２２…照明光学系、２２１…照明光学レンズ、２２２…第１のダイクロイックミラー、２２３…第２のダイクロイックミラー、２２４〜２２６…折り返しミラー、２３Ｒ，２３Ｇ，２３Ｂ…液晶パネル、２４…色合成プリズム、２５…投影レンズ、２６…透明ブロック、３０，３０Ａ…反射型液晶プロジェクタ、３１…光源、３１１…放電ランプ、３１２…反射集光鏡、３２…照明光学系、３２１…照明光学レンズ、３２２…第１のダイクロイックミラー、３２３…第２のダイクロイックミラー、３２４…折り返しミラー、３２５〜３２７…偏光ビームスプリッタ（ＰＢＳ）、３３Ｒ，３３Ｇ，３３Ｂ…液晶パネル、３４…色合成プリズム、３５…投影レンズ、３６…透明ブロック。
【図１】
2006072231.tif 000003
【図２】
2006072231.tif 000004
【図３】
2006072231.tif 000005
【図４】
2006072231.tif 000006
【図５】
2006072231.tif 000007
【図６】
2006072231.tif 000008
【図７】
2006072231.tif 000009
【図８】
2006072231.tif 000010
【図９】
2006072231.tif 000011
【図１０】
2006072231.tif 000012
【図１１】
2006072231.tif 000013
【図１２】
2006072231.tif 000014